(57)【要約】【課題】  エレベーター装置の利用者が乗り場から操作盤の位置を把握することができ、迷うことなく操作盤へ向かうことができるので、利用者の操作盤に向かうまでの移動効率を向上させること。【解決手段】  本発明のエレベーター装置は、上記課題を解決するために、建屋に形成される昇降路を昇降すると共に、他端に主ロープを介してカウンターウェイトが接続されて複数の階床をサービスする乗りかごと、該乗りかご内に設置され、行き先階を指定するかご呼び装置を含む操作盤と、各階の乗り場に設けられ、前記乗りかごを呼び寄せるためた乗り場呼び装置と、該乗り場呼び装置からの信号に応じて、各階へ前記乗りかごを割り当てる制御装置とを備えたエレベーター装置において、各階の前記乗り場に、前記乗りかご内に設置されている前記操作盤の位置を表示する乗り場表示装置が設置されていることを特徴とする。【選択図】図３
2014172667.tif 000002
【特許請求の範囲】
【請求項１】
建屋に形成される昇降路を昇降すると共に、他端に主ロープを介してカウンターウェイトが接続されて複数の階床をサービスする乗りかごと、該乗りかご内に設置され、行き先階を指定するかご呼び装置を含む操作盤と、各階の乗り場に設けられ、前記乗りかごを呼び寄せるためた乗り場呼び装置と、該乗り場呼び装置からの信号に応じて、各階へ前記乗りかごを割り当てる制御装置とを備えたエレベーター装置において、
各階の前記乗り場に、前記乗りかご内に設置されている前記操作盤の位置を表示する乗り場表示装置が設置されていることを特徴とするエレベーター装置。
【請求項２】
請求項１に記載のエレベーター装置において、
前記乗り場表示装置は、前記乗りかごの到着予報及び/又は走行位置を更に表示することを特徴とするエレベーター装置。
【請求項３】
請求項１又は２に記載のエレベーター装置において、
前記エレベーター装置は、前記乗りかご内の乗客を検出するかご乗客検出装置を更に備え、該かご乗客検出装置は、前記制御装置と接続されていることを特徴とするエレベーター装置。
【請求項４】
請求項３に記載のエレベーター装置において、
前記制御装置は、呼びが登録された階に前記乗りかごを走行させるサービスを行う運行制御手段と、前記乗り場呼び装置からの信号を検出して前記運行制御手段に呼び信号を出力する乗り場呼び登録手段と、前記操作器のかご呼び装置からの信号を検出して前記運行制御手段に呼び信号を出力するかご呼び登録手段と、前記かご乗客検出装置からの信号により前記乗りかご内の乗客の有無と混雑度、乗客のおおよその乗り位置を判定するかご内乗客検出手段と、前記エレベーター装置の運行状態を前記乗り場表示装置に出力して、乗客に報知する運行情報出力手段とを備えていることを特徴とするエレベーター装置。
【請求項５】
請求項１乃至４のいずれか１項に記載のエレベーター装置において、
前記乗り場表示装置は、前記乗りかごの現在位置と進行方向を表示する乗りかご位置表示部と、前記乗りかご内の状況及び前記操作盤の位置を図形及び文字で表示するかご内状況表示部とから形成されていることを特徴とするエレベーター装置。
【請求項６】
請求項５に記載のエレベーター装置において、
前記かご内状況表示部は、前記乗りかご内の前記操作盤の位置及び前記かご内乗客検出手段により乗客の有無と混雑具合、乗客のおおよその乗り位置を図示で表すと共に、文字にてそれを表示することを特徴とするエレベーター装置。
【発明の詳細な説明】
【技術分野】
【０００１】
本発明はエレベーター装置に係り、特に、乗りかご内に設置されているかご呼び装置を含む操作盤の位置情報を知るものに好適なエレベーター装置に関する。
【背景技術】
【０００２】
一般に、エレベーター装置の乗り場には乗り場表示装置が設置され、この乗り場表示装置で、建物内における乗りかごの位置或いは乗りかごが到着することを予告する表示を行っている。
【０００３】
通常、エレベーター装置の利用者は、乗りかごが到着するとかご内に乗り込み、操作盤のボタン操作を行い、行先階を指定や後から乗り込む利用者のためにドア開ボタンを押すことがあるが、乗り場からでは、乗りかご内の混雑状況や操作盤の位置を把握することができず、乗りかご到着後の動作に戸惑うことがある。
【０００４】
そこで、このような従来技術における問題を解決する技術として、特許文献１がある。この特許文献１には、表示装置の画面上の乗りかごを示す４角形の中に、混み具合を人の形をした絵文字図形の数で表示することで、乗りかご内の混雑度情報を乗り場表示装置に表示することが記載されている。
【先行技術文献】
【特許文献】
【０００５】
【特許文献１】特開平９−７７３９９号公報
【発明の概要】
【発明が解決しようとする課題】
【０００６】
しかしながら、上記特許文献１には、乗りかご内の混雑度情報を乗り場表示装置に表示することは記載されているが、エレベーター装置の利用者が乗りかご到着後に乗りかご内の操作盤までの移動については記載されておらず、エレベーター装置の利用者の利便性については、十分な考慮がされていないという課題がある。
【０００７】
本発明は上述の点に鑑みなされたもので、その目的とするところは、利用者が乗り場からかご内に乗込み、迷うことなく操作盤へ向かうことができ、操作盤に向かうまでの移動効率が向上するエレベーター装置を提供することにある。
【課題を解決するための手段】
【０００８】
本発明のエレベーター装置は、上記目的を達成するために、建屋に形成される昇降路を昇降すると共に、他端に主ロープを介してカウンターウェイトが接続されて複数の階床をサービスする乗りかごと、該乗りかご内に設置され、行き先階を指定するかご呼び装置を含む操作盤と、各階の乗り場に設けられ、前記乗りかごを呼び寄せるためた乗り場呼び装置と、該乗り場呼び装置からの信号に応じて、各階へ前記乗りかごを割り当てる制御装置とを備えたエレベーター装置において、各階の前記乗り場に、前記乗りかご内に設置されている前記操作盤の位置を表示する乗り場表示装置が設置されていることを特徴とする。
【０００９】
また、前記乗り場表示装置は、前記乗りかごの到着予報及び/又は走行位置を更に表示することを特徴とする。
【００１０】
また、前記エレベーター装置は、前記乗りかご内の乗客を検出するかご乗客検出装置を更に備え、該かご乗客検出装置は、前記制御装置と接続されていることを特徴とする。
【００１１】
また、前記制御装置は、呼びが登録された階に前記乗りかごを走行させるサービスを行う運行制御手段と、前記乗り場呼び装置からの信号を検出して前記運行制御手段に呼び信号を出力する乗り場呼び登録手段と、前記操作器のかご呼び装置からの信号を検出して前記運行制御手段に呼び信号を出力するかご呼び登録手段と、前記かご乗客検出装置からの信号により前記乗りかご内の乗客の有無と混雑度、乗客のおおよその乗り位置を判定するかご内乗客検出手段と、前記エレベーター装置の運行状態を前記乗り場表示装置に出力して、乗客に報知する運行情報出力手段とを備えていることを特徴とする。
【００１２】
また、前記乗り場表示装置は、前記乗りかごの現在位置と進行方向を表示する乗りかご位置表示部と、前記乗りかご内の状況及び前記操作盤の位置を図形及び文字で表示するかご内状況表示部とか形成されていることを特徴とする。
【００１３】
また、前記かご内状況表示部は、前記乗りかご内の前記操作盤の位置及び前記かご内乗客検出手段により乗客の有無と混雑具合、乗客のおおよその乗り位置を図示で表すと共に、文字にてそれを表示することを特徴とする。
【発明の効果】
【００１４】
本発明によれば、エレベーター装置の利用者が乗り場から操作盤の位置を把握することができ、迷うことなく操作盤へ向かうことができるので、利用者の操作盤に向かうまでの移動効率を向上させることができる。
【図面の簡単な説明】
【００１５】
【図１】本発明のエレベーター装置の実施例１を採用した全体構成を示し、１０階床の建物に１台のエレベーター装置を設置し、エレベーター装置の機械室を１０階の上部に設置した場合の図である。
【図２】本発明のエレベーター装置の実施例１に係る制御フローチャートである。
【図３】本発明のエレベーター装置の実施例１に採用される乗り場表示装置における表示画面の例を示す図である。
【図４】本発明のエレベーター装置の実施例１に採用される乗り場表示装置のかご内状況表示部１３における画面遷移の例を示す図である。
【発明を実施するための形態】
【００１６】
以下、図示した実施例に基づいて本発明のエレベーター装置を説明する。
【実施例１】
【００１７】
図１は、本発明のエレベーター装置の実施例１を採用した全体構成を示し、１０階床の建物に１台のエレベーター装置を設置し、このエレベーター装置の機械室を１０階の上部に設置した場合を示す。
【００１８】
該図に示す如く、本実施例のエレベーター装置は乗りかご２を備えており、この乗りかご２は、特に図示しないが、建屋に形成される昇降路を昇降すると共に、他端に主ロープを介してカウンターウェイトが接続されて複数の階床をサービスするものであり、制御装置１により運行制御されている。また、乗りかご２には、行先階を指定するかご呼び釦３Ａを含む操作盤３と、乗りかご２内の乗客を検出するかご乗客検出装置（例えば、荷重センサ）４が設置されている。
【００１９】
一方、各階の乗り場には、乗りかご２を呼び寄せるための乗り場呼び装置である乗り場呼び釦６と、乗りかご２内に設置されている操作盤３の位置を表示すと共に、乗りかご２の到着予報や走行位置を表示する乗り場表示装置５が設置され、それぞれ制御装置１と接続されている。
【００２０】
上記制御装置１は、呼びが登録された階に乗りかご２を走行させるサービスを行う運行制御手段７と、乗り場呼び釦６からの信号を検出して運行制御手段７に呼び信号を出力する乗り場呼び登録手段８と、かご呼び釦３Ａからの信号を検出して運行制御手段７に呼び信号を出力するかご呼び登録手段９と、かご乗客検出装置４からの信号により乗りかご２内の乗客の有無及び混雑度、乗客のおおよその乗り位置を判定するかご内乗客検出手段１０と、エレベーター装置の運行状態を乗り場表示装置５に出力して、乗客に報知する運行情報出力手段１１とを備えている。
【００２１】
次に、図２を用いて、本実施例によるエレベーター装置の制御フローチャートを説明する。
【００２２】
まず、ステップＳ１にて乗り場呼び釦６からの信号を検出したとき、運行制御手段７により、ステップＳ２にて乗り場呼びを乗りかご２に割り当て、呼びが登録された階に乗りかご２を走行させるサービスを行う。
【００２３】
ステップＳ３で、かご内乗客検出手段１０が乗りかご２内の乗客を検出しない場合は、ステップＳ４にて運行情報出力手段１１からサービス階（呼び登録された階或いは乗り場呼び釦６が押された階）の乗り場表示装置５に操作盤３の位置を表示する。乗客を検出した場合は、ステップＳ５に進む。
【００２４】
ステップＳ５にてサービス階と同じ階（乗り場の乗客が呼んだ階と乗りかご２内の乗客が呼んだ階が同じである場合）のかご呼びが存在するか判定し、存在しない場合は、ステップＳ６にて運行情報出力手段１１からサービス階の乗り場表示装置５に操作盤３の位置と乗りかご２内に乗客が存在することを表示する。サービス階と同じ階のかご呼びが存在する場合はステップ７に進む。
【００２５】
ステップ７にてサービス階以外のかご呼びが存在するかを判定し、存在しない場合、ステップＳ８にて運行情報出力手段１１からサービス階の乗り場表示装置５に操作盤３（かご呼び釦３Ａ）の位置と乗りかご２内から降りる客が存在することを示す表示を行う。サービス階以外のかご呼びが存在する場合、ステップ９にて運行情報出力手段１１からサービス階の乗り場表示装置５に、操作盤３の位置と乗りかご２内に乗客が存在すること、及び乗りかご２内から降りる乗客が存在することを示す表示を行う。
【００２６】
サービス階の乗り場表示装置５の乗りかご２内の情報の表示は、ステップ１０によりサービス階へ到着してドアが開き、乗客が乗りかご２へ乗り込みドアが閉まるまで継続する。サービス階のドアが閉まるとステップ１１にて乗り場表示装置５の乗りかご２内の情報が消灯する。
【００２７】
次に、乗り場表示装置５における具体的な表示内容を図３及び図４を用いて説明する。
【００２８】
図３は、本実施例に係る乗り場表示装置５の画面例であり、本実施例の乗り場表示装置５は、乗りかご２の現在位置（図３では３階）と進行方向（上昇方向）を示す乗りかご位置表示部１２と、乗りかご２内の状況を文字と図形で示すかご内状況表示部１３とから形成されている。
【００２９】
かご内状況表示部１３は、乗りかご２内の操作盤３（かご呼び釦３Ａ）の位置とかご内乗客検出手段１０により乗客の有無及び混雑具合、乗客のおおよその乗り位置を図示で表すと共に、文字にてそれを説明する。
【００３０】
図４にて、かご内状況表示部１３の画面遷移を説明する。図４の（１）は乗りかご２に乗客は存在せず、操作盤３は乗りかご２に向かって左側にある（文字で表示すると共に、黒塗りの逆三角形で表示）ことを示す。図４の（２）は乗りかご２に乗客が存在する（文字で表示すると共に、人の形をした絵文字図形で表示）ことと、操作盤３は乗りかご２に向かって左側にある（文字で表示すると共に、黒塗りの逆三角形で表示）ことを示し、文字表示は、操作盤３の位置と乗客の存在を交互に繰り返し表示する。図４の（３）は乗りかご２に乗客が存在する（文字で表示すると共に、人の形をした絵文字図形で表示）ことと、その乗客が降りる（文字で表示）こと、及び操作盤３は乗りかご２に向かって左側にある（文字で表示すると共に、黒塗りの逆三角形で表示）ことを示す。文字表示は、操作盤３の位置と降りる客の存在を交互に繰り返し表示する。図４の（４）は乗りかご２に乗客が存在する（文字で表示すると共に、人の形をした絵文字図形で表示）ことと、その内何人かの乗客は降りる（文字で表示）こと、及び操作盤３は乗りかご２に向かって左側にある（文字で表示すると共に、黒塗りの逆三角形で表示）ことを示す。文字表示は、操作盤３の位置、乗客の存在、降りる客の存在を順番に繰り返し表示する。
【００３１】
これらは、それぞれ図２のステップ４に図４の（１）、ステップ６に（２）、ステップ８に（３）、ステップ９に（４）が対応する。
【００３２】
このように、本実施例のエレベーター装置により、エレベーター装置の利用者が乗り場表示装置に表示されたかご内状況から乗りかご到着後の行動を事前に判断できるため、エレベーターの乗り降りの流れを円滑に行えるようになる。従って、エレベーター装置の利用者が乗り場から操作盤の位置を把握することができ、迷うことなく操作盤へ向かうことができるので、利用者の操作盤に向かうまでの移動効率を向上させることができる。
【００３３】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３４】
１…制御装置、２…乗りかご、３…操作盤、３Ａ…かご呼び釦、４…かご乗客検出装置、５…乗り場表示装置、６…乗り場呼び釦、７…運行制御手段、８…乗り場呼び登録手段、９…かご呼び登録手段、１０…かご内乗客検出手段、１１…運行情報出力手段、１２…乗りかご位置表示部、１３…かご内状況表示部。
【図１】
2014172667.tif 000003
【図２】
2014172667.tif 000004
【図３】
2014172667.tif 000005
【図４】
2014172667.tif 000006